(57)【要約】      （修正有）【課題】送風装置を結合する水素生成システムを提供する。【解決手段】送風装置２及び水素生成装置３を備える。送風装置２は送風口２１を有する。水素生成装置３は、送風装置２に内設され、ケース３１と、液体入れ空間３２と、少なくとも２枚の電極シート３３と、防水空間３４と、制御回路３５とを含む。ケース３１は給水孔３１１及び排気孔３１２を有する。液体入れ空間３２はケース３１に内設され、ケース３１の給水孔３１１及び排気孔３１２に連通される。少なくとも２枚の電極シート３３は液体入れ空間３２に設置される。防水空間３４はケース３１に内設される。制御回路３５は防水空間３４に設置されると共に少なくとも２枚の電極シート３３に電気的に接続され、排気孔３１２は送風装置２の送風口２１に連通される。【選択図】図１Ａ
0003206939.tif 000002
【実用新案登録請求の範囲】
【請求項１】
少なくとも１つの送風口を有する送風装置と、
前記送風装置に内設される水素生成装置と、を備え、
前記水素生成装置は、
少なくとも１つの給水孔及び少なくとも１つの排気孔を有するケースと、
前記ケースに内設され、前記ケースの前記少なくとも１つの給水孔及び前記少なくとも１つの排気孔に連通されるための液体入れ空間と、
前記液体入れ空間に設置されるための少なくとも２枚の電極シートと、
前記ケースに内設されるための防水空間と、
前記防水空間に設置されると共に前記少なくとも２枚の電極シートに電気的に接続される制御回路と、を更に含み、
前記少なくとも１つの排気孔は前記送風装置の前記少なくとも１つの送風口に連通されることを特徴とする、
送風装置を結合する水素生成システム。
【請求項２】
水素生成装置を備え、
前記水素生成装置は、
少なくとも１つの給水孔及び少なくとも１つの排気孔を有するケースと、
前記ケースに内設され、前記ケースの前記少なくとも１つの給水孔及び前記少なくとも１つの排気孔に連通されるための液体入れ空間と、
前記液体入れ空間に設置されるための少なくとも２枚の電極シートと、
前記ケースに内設されるための防水空間と、
前記防水空間に設置されると共に前記少なくとも２枚の電極シートに電気的に接続される制御回路と、を更に含み、
前記水素生成装置の前記ケースの前記少なくとも１つの排気孔は送風装置の少なくとも１つの送風口に連通されることを特徴とする、
送風装置を結合する水素生成システム。
【請求項３】
前記液体入れ空間及び前記少なくとも１つの給水孔の間に連通されるための水槽を更に備えることを特徴とする、請求項１または２の何れか１項に記載の送風装置を結合する水素生成システム。
【請求項４】
前記送風装置は、ドライヤー、扇風機、クーラー、ヒーター、除湿器、エアコンシステムまたは車両のエアコン装置のいずれかであることを特徴とする、請求項１または２の何れか１項に記載の送風装置を結合する水素生成システム。
【請求項５】
前記クーラー、前記ヒーター、前記除湿器、前記エアコンシステムまたは前記車両のエアコン装置の排水管は前記水素生成装置の前記ケースの前記少なくとも１つの給水孔に連結されることを特徴とする、請求項４に記載の送風装置を結合する水素生成システム。
【請求項６】
前記少なくとも１つの排気孔は少なくとも１つの管路を通して前記送風装置の前記少なくとも１つの送風口に接続されることを特徴とする、請求項１または２の何れか１項に記載の送風装置を結合する水素生成システム。
【請求項７】
前記少なくとも１つの管路に連結されると共に前記送風装置の前記少なくとも１つの送風口に連通されるガス収集器を更に備えることを特徴とする、請求項６に記載の送風装置を結合する水素生成システム。
【請求項８】
前記少なくとも２枚の電極シートの間に設置される薄膜を更に備え、前記液体入れ空間には前記薄膜により左辺チャンバ及び右辺チャンバが形成されることを特徴とする、請求項６に記載の送風装置を結合する水素生成システム。
【請求項９】
前記少なくとも１つの管路は、前記右辺チャンバに連通される第一ガス管と、前記左辺チャンバに連通される第二ガス管と、を備え、第一排気制御栓は前記第一ガス管に設置され、第二排気制御栓は前記第二ガス管に設置されることを特徴とする、請求項８に記載の送風装置を結合する水素生成システム。
【請求項１０】
前記第一ガス管及び／或いは前記第二ガス管に設置される少なくとも１つのガス圧力解放弁を更に備えることを特徴とする、請求項９に記載の送風装置を結合する水素生成システム。
【請求項１１】
前記制御回路は定格電流回路を更に備え、前記定格電流回路は、電源供給ユニットと、前記電源供給ユニットに電気的に接続され、且つ前記少なくとも２枚の電極シートに電気的に接続される出力端を有する電圧調節回路と、前記電圧調節回路の入力端、前記出力端及び前記少なくとも２枚の電極シートに電気的に接続され、前記少なくとも２枚の電極シートの出力信号の検知を行う論理制御ユニットと、を含み、前記論理制御ユニットは前記少なくとも２枚の電極シートの前記出力信号の変化に基づいて前記電圧調節回路の前記入力端に論理制御信号を出力させ、前記少なくとも２枚の電極シートの前記出力信号が既定値に固定されることを特徴とする、請求項１または２の何れか１項に記載の送風装置を結合する水素生成システム。
【考案の詳細な説明】
【技術分野】
【０００１】
本考案は、送風装置を結合する水素生成システムに関する。
【背景技術】
【０００２】
現在市場に送風装置としては、ヘアドライヤー、扇風機、クーラー、ヒーター、除湿器、エアコンシステムまたは車両のエアコン装置等が存在し、ガスを装置の中から排出し、使用者が使用できるようになっている。
【０００３】
また、現在では、家庭設備の一つとして水素機も常用されており、水の電解に使用されている。
【考案の概要】
【考案が解決しようとする課題】
【０００４】
しかしながら、現在市場には様々な機能を有する水素機が存在するが、上述の送風機能及び水の電解機能が結合された水素機はまだ存在しない。
【０００５】
そこで、本考案者は上記の欠点が改善可能と考え、鋭意検討を重ねた結果、合理的設計で上記の課題を効果的に改善する本考案の提案に到った。
【０００６】
本考案は、上述のような従来の問題を解決するためになされたもので、上記課題解決のため、本考案は、送風装置を結合する水素生成システムを提供することを主目的とする。
【課題を解決するための手段】
【０００７】
上述した課題を解決し、目的を達成するための本考案に係る送風装置を結合する水素生成システムは、送風装置及び水素生成装置を備える。送風装置は少なくとも１つの送風口を有する。水素生成装置は送風装置に内設され、ケースと、液体入れ空間と、少なくとも２枚の電極シートと、防水空間と、制御回路とを含む。ケースは少なくとも１つの給水孔及び少なくとも１つの排気孔を有する。液体入れ空間はケースに内設され、ケースの少なくとも１つの給水孔及び少なくとも１つの排気孔に連通される。少なくとも２枚の電極シートは液体入れ空間に設置される。防水空間はケースに内設される。制御回路は防水空間に設置されると共に少なくとも２枚の電極シートに電気的に接続される。また、少なくとも１つの排気孔は送風装置の少なくとも１つの送風口に連通される。
【０００８】
また、本考案の他の送風装置を結合する水素生成システムは、水素生成装置を備える。水素生成装置は、ケースと、液体入れ空間と、少なくとも２枚の電極シートと、防水空間と、制御回路とを含む。ケースは少なくとも１つの給水孔及び少なくとも１つの排気孔を有する。液体入れ空間はケースに内設され、ケースの少なくとも１つの給水孔及び少なくとも１つの排気孔に連通される。少なくとも２枚の電極シートは液体入れ空間に設置される。防水空間はケースに内設される。制御回路は防水空間に設置されると共に少なくとも２枚の電極シートに電気的に接続される。また、水素生成装置のケースの少なくとも１つの排気孔は送風装置の少なくとも１つの送風口に連通される。
【考案の効果】
【０００９】
本考案の送風装置を結合する水素生成システムによれば、送風機能を有する送風装置及び水の電解機能を有する水素生成装置が結合され、且つ送風装置からの風力と同時に連動して水素生成装置が電解により水素及び酸素を発生させ、使用者が各種の送風装置を使用する際に、水素生成装置が発生させた水素及び酸素も同時に吸収できる。
【図面の簡単な説明】
【００１０】
【図１Ａ】本考案の第１実施形態に係る送風装置を結合する水素生成システムを示す概略図である。
【図１Ｂ】本考案の他の実施形態に係る送風装置を結合する水素生成システムを示す概略図である。
【図２】本考案のさらなる他の実施形態に係る送風装置を結合する水素生成システムを示す概略図である。
【考案を実施するための形態】
【００１１】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１２】
（第１実施形態）
図１Ａは本考案の第１実施形態に係る送風装置を結合する水素生成システムを示す概略図である。送風装置を結合する水素生成システム１は、水素生成装置３を備える。水素生成装置３は、ケース３１と、液体入れ空間３２と、少なくとも２枚の電極シート３３と、防水空間３４と、制御回路３５とを含む。
ケース３１は少なくとも１つの給水孔３１１及び少なくとも１つの排気孔３１２を有する。液体入れ空間３２はケース３１に内設され、ケース３１の少なくとも１つの給水孔３１１及び少なくとも１つの排気孔３１２に連通される。少なくとも２枚の電極シート３３は液体入れ空間３２に設置される。電解プロセスが実行されると、水等の液体が液体入れ空間３２内に注入され、電極シート３３により水に対する電解が行われる。防水空間３４はケース３１に内設される。制御回路３５は防水空間３４に設置されると共に少なくとも２枚の電極シート３３に電気的に接続される。水素生成装置３のケース３１の少なくとも１つの排気孔３１２は送風装置２の少なくとも１つの送風口２１に連通される。
【００１３】
図１Ｂは本考案の他の実施形態に係る送風装置を結合する水素生成システムを示す概略図である。さらに、本考案に係る他の送風装置を結合する水素生成システム１は、送風装置２及び水素生成装置３を備える。送風装置２は少なくとも１つの送風口２１を有する。水素生成装置３は送風装置２に内設され、ケース３１と、液体入れ空間３２と、少なくとも２枚の電極シート３３と、防水空間３４と、制御回路３５とを含む。
ケース３１は少なくとも１つの給水孔３１１及び少なくとも１つの排気孔３１２を有する。液体入れ空間３２はケース３１に内設され、ケース３１の少なくとも１つの給水孔３１１及び少なくとも１つの排気孔３１２に連通される。少なくとも２枚の電極シート３３は液体入れ空間３２に設置される。防水空間３４はケース３１に内設される。制御回路３５は防水空間３４に設置されると共に少なくとも２枚の電極シート３３に電気的に接続され、水素生成装置３に必要な電力を提供するために使用される。また、少なくとも１つの排気孔３１２は送風装置２の少なくとも１つの送風口２１に連通される。上述の実施形態との主な差異は、本実施形態に係る水素生成装置３は送風装置２内部に設置される点である。
【００１４】
送風装置２は、ドライヤー、扇風機、クーラー、ヒーター、除湿器、エアコンシステムまたは車両のエアコン装置等を含む。上述の実施形態ではクーラーを例にする。実際には、本考案に係る水素生成装置３は様々な送風装置２に結合可能であり、送風装置を結合する水素生成システム１が形成される。
【００１５】
上述したように、クーラー、ヒーター、除湿器、エアコンシステムまたは車両のエアコン装置は自体の作動中に排水を行う。即ち、排水管を設置して排水する必要がある。このため、これら前記送風装置２の排水管２２は水素生成装置３のケース３１の少なくとも１つの給水孔３１１に連結され、水資源をより有効的に利用できるようになり、別の水源から水素生成装置３に水を注入して電解を行う必要がない。
【００１６】
また、水素生成装置には、液体入れ空間３２と少なくとも１つの給水孔３１１との間に連通され、水素生成装置３に注入される水の貯水に使用される水槽３６が増設される。
【００１７】
送風装置を結合する水素生成システム１は、少なくとも２枚の電極シート３３の間に設置される薄膜３７を備え、液体入れ空間３２には薄膜３７により左辺チャンバ３２１及び右辺チャンバ３２２が形成され、且つ発生した水素及び酸素は薄膜３７により左辺チャンバ３２１及び右辺チャンバ３２２に分けられる。
さらに、第一電極シート３３及び第二電極シート３３は対応し合う陽極性及び陰極性であるため、液体入れ空間３２に注入された水が電解された後には、第一電極シート３３が陰極性である場合、左辺チャンバ３２１では水素が発生する。第二電極シート３３が陽極性である場合、右辺チャンバ３２２では酸素が発生する。薄膜３７は高い導電率を有するため、電極シート３３の間の電界強度が強化され、更に導電率が高まり、電解効率が向上する。
【００１８】
水素生成装置３により水の電解が完了した後、少なくとも１つの管路３８が上述の左辺チャンバ３２１、右辺チャンバ３２２及び送風装置２の少なくとも１つの送風口２１にそれぞれ連結され、これにより水素及び酸素が送風装置２の風力により送風される。さらに、少なくとも１つの管路３８は第一ガス管３８１及び第二ガス管３８２を備える。第一ガス管３８１は右辺チャンバ３２２に連通され、第二ガス管３８２は左辺チャンバ３２１に連通され、これにより水素及び酸素が送風口２１にそれぞれ輸送される。
【００１９】
なお、送風装置を結合する水素生成システム１は、上述の少なくとも１つの管路３８にそれぞれ連結されて、水素及び酸素の排気量の制御に使用される少なくとも１つの排気制御栓を備える。さらに、右辺チャンバ３２２に連通される第一ガス管３８１には第一排気制御栓３９１が設置され、左辺チャンバ３２１に連通される第二ガス管３８２には第二排気制御栓３９２が設置される。
【００２０】
送風装置を結合する水素生成システム１は、第一ガス管３８１及び／或いは第二ガス管３８２に設置される少なくとも１つのガス圧力解放弁を更に備える。さらに、発生したガスが多過ぎ、管路３８内の圧力が過剰になる場合、第一ガス管３８１及び／或いは第二ガス管３８２にそれぞれ設置されて連通される第三ガス管３８３及び／或いは第四ガス管３８４が圧力解放のための経路となる。第三ガス管３８３及び第四ガス管３８４には第三排気制御栓３９３及び第四排気制御栓３９４がそれぞれ設置される。
【００２１】
図２は本考案のさらなる他の実施形態に係る送風装置を結合する水素生成システムを示す概略図である。図２は車両のエアコンを送風装置とする実施形態を示す。
本実施形態では、水素生成装置３はエアーポンプＰを備え、発生した水素及び酸素が車両の冷気の送風口２１に輸送され、使用者が車両を運転する際に、冷気を使用できるほか、水素及び酸素も同時に吸収できる。これにより、ドライバーの精神を向上させる効果を達成させる。また、水素生成装置３が水を電解させると同時に微量のオゾンも発生するため、車内の空気の浄化及び消臭効果を更に有する。水素生成装置３が車内で使用される場合、車内のシガーライターまたはＵＳＢソケットに接続されて水の電解に必要な電力が提供される。
【００２２】
さらに、送風装置２の送風口２１の付近には水素生成装置３の少なくとも１つの管路３８に連結されるガス収集器２３が設置され、発生した水素及び酸素が収集されて送風装置２の送風口２１に輸送される。
【００２３】
このほか、上述の各実施形態において、水素生成装置３の制御回路３５は定格電流回路（図示せず）を備える設計になるため、水素生成装置３の出力電圧及び出力電流が既定の固定値に制限される。さらに、水素生成装置３の液体入れ空間３２に水が入れられている場合、定格電流回路の電圧及び電流は固定の大きさに維持され、水の電解動作が行われる。
水素生成装置３の液体入れ空間３２に水が入れられていない場合、定格電流回路により電解する水量の負荷が変化したことが検知され、切替スイッチにより電源供給ユニットとの電気的な接続が切断され、これにより水素生成装置３を過負荷から保護する効果を達成させる。
【００２４】
上述したように、定格電流回路は、電源供給ユニットと、電圧調節回路と、論理制御ユニットとを備える。電圧調節回路は電源供給ユニットに電気的に接続され、且つ少なくとも２枚の電極シート３３に電気的に接続されるための出力端を有する。論理制御ユニットは電圧調節回路の入力端、出力端及び少なくとも２枚の電極シート３３に電気的に接続されて、少なくとも２枚の電極シート３３の出力信号を検知させる。論理制御ユニットは少なくとも２枚の電極シート３３の出力信号の変化に基づいて論理制御信号を電圧調節回路の入力端に出力させ、少なくとも２枚の電極シート３３の出力信号を既定値に固定させる。出力信号は電圧信号または電流信号を含む。
水素生成装置の定格電流回路の詳細な作動及び原理は本出願者の台湾実用新案出願第１０５２０６７７７号明細書「水素機の定格電流回路」を参照可能であるため、再述は省く。
【００２５】
以上のとおり、本考案に係る送風装置を結合する水素生成システムは、送風機能を有する送風装置及び水の電解機能を有する水素生成装置に結合され、且つ送風装置からの風力と同時に連動して水素生成装置が電解により水素及び酸素を発生させ、使用者が各種の送風装置を使用する際に、水素生成装置が発生させる水素及び酸素も同時に吸収できる。また、水素生成装置は使用者の需要に基づいて送風装置内部に統合可能であり、或いは外付け形式により送風装置に連結可能である。
【００２６】
以上、本考案はこのような実施形態に限定されるものではなく、考案の趣旨を逸脱しない範囲において、種々の形態で実施することができる。
【符号の説明】
【００２７】
１      送風装置を結合する水素生成システム
２      送風装置
２１    送風口
２２    排水管
２３    ガス収集器
３      水素生成装置
３１    ケース
３１１  給水孔
３１２  排気孔
３２    液体入れ空間
３２１  左辺チャンバ
３２２  右辺チャンバ
３３    電極シート
３４    防水空間
３５    制御回路
３６    水槽
３７    薄膜
３８    管路
３８１  第一ガス管
３８２  第二ガス管
３８３  第三ガス管
３８４  第四ガス管
３９１  第一排気制御栓
３９２  第二排気制御栓
３９３  第三排気制御栓
３９４  第四排気制御栓
Ｐ      エアーポンプ
【図１Ａ】
0003206939.tif 000003
【図１Ｂ】
0003206939.tif 000004
【図２】
0003206939.tif 000005